(57)【要約】【課題】実際に球を打つバッティング練習で使用することができる練習用バットを提供すること。【解決手段】練習用バット１００は、バット本体１２０の内部に形成されている空間内に配置された芯棒１７０と、その空間内で移動可能である重り１３０と、重り１３０に付勢力を作用させるための付勢手段とを備える。付勢手段は、コイル状の第１の圧縮バネ１５０とコイル状の第２の圧縮バネ１６０とを含む。芯棒１７０は、第１の圧縮バネ１５０のコイルの中および重り１３０の貫通孔の中および第２の圧縮バネ１６０のコイルの中を通るように構成されている。重り１３０は、初期位置と先端位置との間で移動可能である。付勢手段は、重り１３０が先端位置にある場合には、先端位置から初期位置に戻る方向の付勢力が重り１３０に作用するように構成されている。【選択図】図１Ｂ
2020081824.tif 000002
【特許請求の範囲】
【請求項１】
練習用バットであって、前記練習用バットは、
グリップ部分と、
バット本体であって、前記バット本体の少なくとも一部の内部には空間が形成されている、バット本体と、
前記空間内に配置された芯棒と、
前記空間内で移動可能である重りと、
前記重りに付勢力を作用させるための付勢手段であって、コイル状の第１の圧縮バネとコイル状の第２の圧縮バネとを含む付勢手段と
を備え、
前記重りには、前記重りの中を前記芯棒が通過することができるように貫通孔が設けられており、
前記芯棒は、前記第１の圧縮バネが前記重りよりも前記グリップ部分に近い位置に配置され、かつ、前記第２の圧縮バネが前記重りよりも前記練習用バットの先端に近い位置に配置されるように、前記第１の圧縮バネのコイルの中および前記重りの貫通孔の中および前記第２の圧縮バネのコイルの中を通るように構成されており、
前記重りは、初期位置と先端位置との間で移動可能であり、前記先端位置は、前記練習用バットの長手軸方向に沿って前記初期位置よりも前記練習用バットの先端に近い位置であり、
前記付勢手段は、前記重りが前記先端位置にある場合には、前記先端位置から前記初期位置に戻る方向の付勢力が前記重りに作用するように構成されている、練習用バット。
【請求項２】
前記重りが前記初期位置にある場合には、前記第１の圧縮バネが圧縮されている状態にあり、かつ、前記第２の圧縮バネが圧縮されている状態またはニュートラルな状態にある、請求項１に記載の練習用バット。
【請求項３】
前記第１の圧縮バネの両端は、自由端であり、かつ、前記第２の圧縮バネの両端は、自由端である、請求項１または請求項２に記載の練習用バット。
【請求項４】
前記第２の圧縮バネの単位長さあたりの巻数は、前記第１の圧縮バネの単位長さあたりの巻数に等しい、請求項１〜３のいずれか一項に記載の練習用バット。
【請求項５】
前記第２の圧縮バネの単位長さあたりの巻数は、前記第１の圧縮バネの単位長さあたりの巻数よりも少ない、請求項１〜３のいずれか一項に記載の練習用バット。
【請求項６】
前記第２の圧縮バネは、円錐形のコイル状の圧縮バネであり、前記第２の圧縮バネは、前記練習用バットの先端の近づくにつれて前記第２の圧縮バネのコイルの半径が単調増加するように構成されている、請求項１〜５のいずれか一項に記載の練習用バット。
【請求項７】
前記練習用バットは、前記芯棒の長手軸方向が前記練習用バットの長手軸方向に一致するように前記芯棒をガイドするためのガイド部をさらに備える、請求項１〜６のいずれか一項に記載の練習用バット。
【請求項８】
前記練習用バットの先端は、開閉可能なように構成されており、前記練習用バットは、前記練習用バットの先端が開いている間に、前記第１の圧縮バネ、前記重り、前記第２の圧縮バネのうちの少なくとも１つを交換可能であるように構成されている、請求項１〜７のいずれか一項に記載の練習用バット。
【請求項９】
前記練習用バットは、金属バットである、請求項１〜８のいずれか一項に記載の練習用バット。
【発明の詳細な説明】
【技術分野】
【０００１】  本発明は、練習用バットに関し、特に、トスバッティング、ティーバッティング、フリーバッティングなどのバッティング練習（すなわち、実際に球を打つバッティング練習）で使用することができる練習用バットに関する。
【背景技術】
【０００２】  従来、練習用バットとして通常のバットよりも重いバット（いわゆるマスコットバット）が知られていた。マスコットバットを用いて素振りをすることにより、スイングスピードの向上に役立つことが知られている。【０００３】  また、従来、練習用バットとして有限会社内田販売システムが販売する「パワースラッガー」という製品が知られている（非特許文献１を参照）。この製品を用いて素振りをする際に、重りを移動させてインパクトのタイミングで音を鳴らすことが出来るように練習することによって、インパクトの瞬間に球に力を伝達することができるスイングが身に付くとされている。
【先行技術文献】
【非特許文献】
【０００４】
【非特許文献１】有限会社  内田販売システム、“ＰＲＯＤＵＣＴ−ＢＡＳＥＢＡＬＬ野球トレーニング器具”、［ｏｎｌｉｎｅ］、［平成３０年５月１２日検索］、インターネット＜ＵＲＬ：ｈｔｔｐ：／／ｗｗｗ．ｕｃｈｉｄａ−ｐｏｗｅｒ．ｊｐ／ｐｒｏｄｕｃｔ／ｂａｓｅｂａｌｌ／＃ｐｏｗｅｒ＞
【発明の概要】
【発明が解決しようとする課題】
【０００５】  しかしながら、従来の練習用バットは、「素振り」に使用されるものに限定されていた。すなわち、従来の練習用バットを使用して球を打つバッティング練習を行うことはできなかった。このため、従来の練習用バットを使用して望ましいスイングを会得することができたとしても、実際のバッティング練習で球を打つ際には、従来の練習用バットとは異なるバットで球を打つ必要があった。このため、実際のバッティング練習において、会得することができた望ましいスイングで打てているのかどうか、打てていたとして打球に変化が生じているのかどうかを実感しにくいという課題があった。【０００６】  本発明は、この課題を解決するためになされたものであり、トスバッティング、ティーバッティング、フリーバッティングなどのバッティング練習（すなわち、実際に球を打つバッティング練習）で使用することができる練習用バットを提供することを目的とする。
【課題を解決するための手段】
【０００７】  本発明の練習用バットは、グリップ部分と、バット本体であって、前記バット本体の少なくとも一部の内部には空間が形成されている、バット本体と、前記空間内に配置された芯棒と、前記空間内で移動可能である重りと、前記重りに付勢力を作用させるための付勢手段であって、コイル状の第１の圧縮バネとコイル状の第２の圧縮バネとを含む付勢手段とを備え、前記重りには、前記重りの中を前記芯棒が通過することができるように貫通孔が設けられており、前記芯棒は、前記第１の圧縮バネが前記重りよりも前記グリップ部分に近い位置に配置され、かつ、前記第２の圧縮バネが前記重りよりも前記練習用バットの先端に近い位置に配置されるように、前記第１の圧縮バネのコイルの中および前記重りの貫通孔の中および前記第２の圧縮バネのコイルの中を通るように構成されており、前記重りは、初期位置と先端位置との間で移動可能であり、前記先端位置は、前記練習用バットの長手軸方向に沿って前記初期位置よりも前記練習用バットの先端に近い位置であり、前記付勢手段は、前記重りが前記先端位置にある場合には、前記先端位置から前記初期位置に戻る方向の付勢力が前記重りに作用するように構成されている。これにより、上述した目的が達成される。【０００８】  本発明の１つの実施形態では、前記重りが前記初期位置にある場合には、前記第１の圧縮バネが圧縮されている状態にあり、かつ、前記第２の圧縮バネが圧縮されている状態またはニュートラルな状態にある。【０００９】  本発明の１つの実施形態では、前記第１の圧縮バネの両端は、自由端であり、かつ、前記第２の圧縮バネの両端は、自由端である。【００１０】  本発明の１つの実施形態では、前記第２の圧縮バネの単位長さあたりの巻数は、前記第１の圧縮バネの単位長さあたりの巻数に等しい。【００１１】  本発明の１つの実施形態では、前記第２の圧縮バネの単位長さあたりの巻数は、前記第１の圧縮バネの単位長さあたりの巻数よりも少ない。【００１２】  本発明の１つの実施形態では、前記第２の圧縮バネは、円錐形のコイル状の圧縮バネであり、前記第２の圧縮バネは、前記練習用バットの先端の近づくにつれて前記第２の圧縮バネのコイルの半径が単調増加するように構成されている。【００１３】  本発明の１つの実施形態では、前記練習用バットは、前記芯棒の長手軸方向が前記練習用バットの長手軸方向に一致するように前記芯棒をガイドするためのガイド部をさらに備えている。【００１４】  本発明の１つの実施形態では、前記練習用バットの先端は、開閉可能なように構成されており、前記練習用バットは、前記練習用バットの先端が開いている間に、前記第１の圧縮バネ、前記重り、前記第２の圧縮バネのうちの少なくとも１つを交換可能であるように構成されている。【００１５】  本発明の１つの実施形態では、前記練習用バットは、金属バットである。
【発明の効果】
【００１６】  本発明によれば、トスバッティング、ティーバッティング、フリーバッティングなどのバッティング練習（すなわち、実際に球を打つバッティング練習）で使用することができる練習用バットを提供することが可能である。
【図面の簡単な説明】
【００１７】
【図１Ａ】重り１３０が初期位置にあるときの練習用バット１００の内部構造の一例を示す図
【図１Ｂ】重り１３０が先端位置にあるときの練習用バット１００の内部構造の一例を示す図
【図２Ａ】重り１３０が初期位置にあるときの練習用バット１００の内部構造の他の一例を示す図
【図２Ｂ】重り１３０が先端位置にあるときの練習用バット１００の内部構造の他の一例を示す図
【図３Ａ】重り１３０が初期位置にあるときの練習用バット１００の内部構造の他の一例を示す図
【図３Ｂ】重り１３０が先端位置にあるときの練習用バット１００の内部構造の他の一例を示す図
【図４Ａ】打者が練習用バット１００を構えてトップの位置を作ったときの様子を示す図
【図４Ｂ】打者が練習用バット１００を振り出した瞬間の様子を示す図
【図４Ｃ】打者が練習用バット１００で球を打った瞬間の様子を示す図
【発明を実施するための形態】
【００１８】  以下、図面を参照しながら、本発明の実施形態を説明する。
【００１９】１．本発明の練習用バット
以下、本発明の練習用バットの一例としての練習用バット１００を説明する。練習用バット１００は、硬式野球の練習用バットであるが、本発明はこれに限定されない。本発明は、準硬式野球の練習用バットや軟式野球の練習用バットにも適用することが可能である。また、本発明は、ソフトボールの練習用バットにも適用することが可能である。
【００２０】  練習用バット１００は、グリップ部分１１０とバット本体１２０とを含む。グリップ部分１１０は、練習用バット１００の根本部分であり、手で握る部分である（通常、すべり防止のため布やゴムが巻かれている部分である）。バット本体１２０は、練習用バット１００のうちグリップ部分１１０以外の部分である。バット本体１２０の少なくとも一部の内部には空間が形成されている。本発明は、バット本体１２０の内部に形成されているこのような空間を利用するものである。
【００２１】  練習用バット１００は、重り１３０をさらに含む。重り１３０は、バット本体１２０の内部に形成されている空間内に配置されている。重り１３０は、バット本体１２０の内部に形成されている空間内で、初期位置と先端位置との間で移動可能である。ここで、初期位置とは、練習用バット１００をグリップ部分１１０を下にして直立させたときに重り１３０が位置する位置として定義される。先端位置とは、練習用バット１００の長手軸方向に沿って初期位置よりも練習用バット１００の先端１４０に近い位置として定義される。
【００２２】  重り１３０は、どのように成型されたものであるかを問わない。例えば、重り１３０は、金属製の塊を加工したものでもあってもよい。あるいは、重り１３０は、ポリ塩化ビニル製の管状の部材の中に金属粉を封入したものであってもよい。
【００２３】  練習用バット１００は、重り１３０に付勢力を作用させるための付勢手段をさらに含む。この付勢手段は、重り１３０が先端位置にある場合には、先端位置から初期位置に戻る方向の付勢力が重り１３０に作用するように構成されている。
【００２４】  以下、図１Ａおよび図１Ｂを参照して、コイル状の圧縮バネ１５０およびコイル状の圧縮バネ１６０が付勢手段として機能する場合における練習用バット１００の内部構造の一例を説明する。
【００２５】  練習用バット１００は、バット本体１２０の内部に形成されている空間内に配置されている芯棒１７０をさらに含む。重り１３０には、重り１３０の中を芯棒１７０が通過することができるように貫通孔が設けられている。芯棒１７０は、圧縮バネ１５０が重り１３０よりもグリップ部分１１０に近い位置に配置され、かつ、圧縮バネ１６０が重り１３０よりも練習用バット１００の先端１４０に近い位置に配置されるように、圧縮バネ１５０のコイルの中、重り１３０の貫通孔の中、圧縮バネ１６０のコイルの中を通るように構成されている。これにより、重り１３０は、芯棒１７０の長手軸方向に沿って、初期位置と先端位置との間で移動可能である。
【００２６】  図１Ａおよび図１Ｂに示される例では、圧縮バネ１５０の一端は、自由端であり、圧縮バネ１５０の他端もまた自由端である。すなわち、圧縮バネ１５０の両端は、何かに接続されたり固定されたりする必要がない。なぜなら、圧縮バネ１５０の移動は芯棒１７０によって規制されるため、圧縮バネ１５０の一端が重り１３０に接続されている必要がなく、圧縮バネ１５０の他端が芯棒１７０またはグリップ部分１１０またはバット本体１２０に固定されている必要がないからである。
【００２７】  図１Ａおよび図１Ｂに示される例では、圧縮バネ１６０の一端は、自由端であり、圧縮バネ１６０の他端もまた自由端である。すなわち、圧縮バネ１６０の両端は、何かに接続されたり固定されたりする必要がない。なぜなら、圧縮バネ１６０の移動は芯棒１７０によって規制されるため、圧縮バネ１６０の一端が重り１３０に接続されている必要がなく、圧縮バネ１６０の他端が芯棒１７０または練習用バット１００の先端１４０またはバット本体１２０に接続されている必要がないからである。
【００２８】  図１Ａおよび図１Ｂに示される例では、芯棒１７０の一端には、芯棒１７０から外周方向に突出したテーパ状部分１８０が形成されている。例えば、テーパ状部分１８０の中心部に形成された孔に芯棒１７０の一端を差し込むことによって、テーパ状部分１８０と芯棒１７０とを一体化するようにしてもよい。テーパ状部分１８０は、ゴムなどの弾性体で形成されることが好ましいが、テーパ状部分１８０の材料はこれに限定されない。芯棒１７０は、ある程度の強度が必要とされるため、ジュラルミン製のような強固の材料で形成されることが好ましいが、芯棒１７０の材料はこれに限定されない。テーパ状部分１８０は、テーパ状部分１８０の外壁がグリップ部分１１０の内壁またはバット本体１２０の内壁に接触するように、グリップ部分１１０またはバット本体１２０の中に挿入されることが可能である。これにより、テーパ状部分１８０は、芯棒１７０の長手軸方向が練習用バット１００の長手軸方向に一致するように芯棒１７０をガイドするためのガイド部として機能する。さらに、練習用バット１００の先端１４０の裏側には、芯棒１７０の他端を受け入れるための凹部が設けられていてもよい。例えば、練習用バット１００の先端１４０の裏側の中心部に形成された凹部に芯棒１７０の他端を差し込むことによって、凹部と芯棒１７０とを一体化するようにしてもよい。これにより、この凹部もまた、芯棒１７０の長手軸方向が練習用バット１００の長手軸方向に一致するように芯棒１７０をガイドするためのガイド部として機能する。あるいは、テーパ状部分１８０および練習用バット１００の先端１４０の裏側の中心部に形成された凹部の両方が、芯棒１７０の長手軸方向が練習用バット１００の長手軸方向に一致するように芯棒１７０をガイドするためのガイド部として機能するようにしてもよい。重り１３０は、芯棒１７０の長手軸方向に沿って初期位置と先端位置との間を移動可能なように構成されている。従って、重り１３０は、練習用バット１００の長手軸方向に沿って初期位置と先端位置との間を移動可能である。
【００２９】  なお、芯棒１７０は、練習用バットの先端１４０の材料と同一の材料で練習用バットの先端１４０と一体的に形成されていてもよいが、これに限定されない。例えば、芯棒１７０とは練習用バットの先端１４０とは別個の部材であり、芯棒１７０と練習用バットの先端１４０とが互いに接着されていてもよい。
【００３０】  重り１３０が初期位置にある場合には、圧縮バネ１５０が圧縮されている状態にあり、かつ、圧縮バネ１６０が圧縮されている状態にある。この場合において、重り１３０が初期位置から先端位置に向かって移動すると、圧縮バネ１５０が圧縮されている状態からニュートラルな状態に向かって遷移し、かつ、圧縮バネ１６が圧縮されている状態からさらに圧縮されている状態に向かって遷移する（すなわち、重り１３０により圧縮バネ１６０がさらに圧縮される）。圧縮バネ１５０がニュートラル状態に到達した後、重り１３０が先端位置に向かってさらに移動すると、圧縮バネ１５０の一端から重り１３０が離れ、重り１３０により圧縮バネ１６０がさらに圧縮されることになる。重り１３０が先端位置にある場合には、先端位置から初期位置に戻る方向の付勢力が重り１３０に作用する。ここで、先端位置から初期位置に戻る方向の付勢力は、圧縮バネ１６０による付勢力（すなわち、先端位置から初期位置に向かう方向の力であって、圧縮バネ１６０の圧縮の大きさに比例する力）である。先端位置では、圧縮バネ１５０による付勢力は重り１３０に作用しないからである。
【００３１】  あるいは、重り１３０が初期位置にある場合には、圧縮バネ１５０が圧縮されている状態にあり、かつ、圧縮バネ１６０がニュートラルな状態（すなわち、バネの伸縮量がゼロの状態）にあってもよい。この場合において、重り１３０が初期位置から先端位置に向かって移動すると、圧縮バネ１５０が圧縮されている状態からニュートラルな状態に向かって遷移し、かつ、圧縮バネ１６０がニュートラルな状態から圧縮されている状態に向かって遷移する（すなわち、重り１３０により圧縮バネ１６０が圧縮される）。圧縮バネ１５０がニュートラル状態に到達した後、重り１３０が先端位置に向かってさらに移動すると、圧縮バネ１５０の一端から重り１３０が離れ、重り１３０により圧縮バネ１６０がさらに圧縮されることになる。重り１３０が先端位置にある場合には、先端位置から初期位置に戻る方向の付勢力が重り１３０に作用する。ここで、先端位置から初期位置に戻る方向の付勢力は、圧縮バネ１６０による付勢力（すなわち、先端位置から初期位置に向かう方向の力であって、圧縮バネ１６０の圧縮の大きさに比例する力）である。先端位置では、圧縮バネ１５０による付勢力は重り１３０に作用しないからである。
【００３２】  なお、圧縮バネ１５０および圧縮バネ１６０のいずれも、単一のバネであってもよいし、複数のバネを連結したものであってもよい。
【００３３】  図１Ａは、重り１３０が初期位置にあるときの練習用バット１００の内部構造の一例を示す。
【００３４】  圧縮バネ１５０および圧縮バネ１６０は、重り１３０が初期位置にある場合には、圧縮バネ１５０が圧縮されている状態にあり、かつ、圧縮バネ１６０が圧縮されている状態（または、ニュートラルな状態）にあるように構成されている。例えば、練習用バット１００をグリップ部分１１０を下にして直立させたときに、圧縮されている状態の圧縮バネ１５０と圧縮されている状態（または、ニュートラルな状態）の圧縮バネ１６０との間に重り１３０が配置されるようにすることによって、重り１３０が初期位置に配置されるようにしてもよい。
【００３５】  図１Ｂは、重り１３０が先端位置にあるときの練習用バット１００の内部構造の一例を示す。
【００３４】  圧縮バネ１６０は、重り１３０が先端位置にある場合には、先端位置から初期位置に戻る方向の付勢力が重り１３０に作用するように構成されている。後述するように、練習用バット１００をスイングすると、重り１３０に遠心力が作用する。この重り１３０に作用する遠心力と重り１３０に作用する付勢力とがつり合うように圧縮バネ１５０のバネ係数または圧縮バネ１６０のバネ係数が予め設計される。
【００３６】  図１Ａ、図１Ｂに示される実施形態によれば、上述したように、圧縮バネ１５０、１６０の両端を自由端とすることが可能である。これにより、圧縮バネ１５０、１６０の両端を何かに接続したり固定したりする必要がない。これにより、練習バット１００の製造プロセスを格段に簡略化することが可能である。すなわち、芯棒１７０に  圧縮バネ１５０、重り、圧縮バネ１６０をこの順番で通した状態で、その芯棒１７０を練習用バット１００の内部に形成されている空間内に配置することによって、圧縮バネ１５０、１６０の両端を何かに接続したり固定したりする工程を必要とすることなく、練習用バット１００を簡単に製造することが可能である。
【００３７】  なお、図１Ａ、図１Ｂに示される例では、圧縮バネ１６０の単位長さあたりの巻数は、圧縮バネ１５０の単位長さあたりの巻数に等しいが、圧縮バネ１６０の単位長さあたりの巻数は、圧縮バネ１５０の単位長さあたりの巻数よりも少なくてもよい。圧縮バネ１６０の単位長さあたりの巻数が圧縮バネ１５０の単位長さあたりの巻数よりも少ない構成もまた本発明の範囲内である。このような構成によれば、圧縮バネ１６０が圧縮されたときの圧縮バネ１６０の体積をより小さくすることが可能である。従って、重り１３０の先端位置を練習バット１００の先端１４０により近づけることが可能である点で有利であるといえる。
【００３８】  図２Ａ、図２Ｂは、図１Ａ、図１Ｂに示される圧縮バネ１６０を圧縮バネ１６０’に置換した場合における練習用バット１００の内部構造の一例を示す。圧縮バネ１６０’の単位長さあたりの巻数は、圧縮バネ１６０の単位長さあたりの巻数よりも少ない。図２Ｂに示される構成によれば、（図２Ｂに示されるＬ２）＜（図１Ｂに示されるＬ１）とすることが可能である。なぜなら、圧縮バネ１６０’の単位長さあたりの巻数が圧縮バネ１６０の単位長さあたりの巻数よりも少ないため、重り１３０の先端位置を練習バット１００の先端１４０により近づけることが可能であるからである。少なくともこの点で、図２Ａ、図２Ｂに示される構成は、図１Ａ、図１Ｂに示される構成に比較して有利であるといえる。ここで、Ｌ２は、図２Ｂに示される構成において、重り１３０が先端位置にあるときの重り１３０と練習用バット１００の先端１４０との距離を表し、Ｌ１は、図１Ｂに示される構成において、重り１３０が先端位置にあるときの重り１３０と練習用バット１００の先端１４０との距離を表す。
【００３９】  なお、図１Ａ、図１Ｂ、図２Ａ、図２Ｂに示される例では、圧縮バネ１６０のコイルの半径は一定であるが、練習用バット１００の先端１４０に近づくにつれて圧縮バネ１６０のコイルの半径が単調増加するように（すなわち、コイルの半径が等しいかもしくは増加するように）圧縮バネ１６０を構成するようにしてもよい。練習用バット１００の先端１４０に近づくにつれて圧縮バネ１６０のコイルの半径が単調増加する構成もまた本発明の範囲内である。このような構成によれば、圧縮バネ１６０の半径が一定である構成に比較して、重り１３０をゆっくりと練習用バット１００の先端１４０に向かって移動させることが可能であり、重り１３０が練習用バット１００の先端１４０に近づくにつれて重り１３０の移動速度を徐々に減少させることが可能である。
【００４０】  図３Ａ、図３Ｂは、図２Ａ、図２Ｂに示される圧縮バネ１６０’を圧縮バネ１６０”に置換した場合における練習用バット１００の内部構造の一例を示す。圧縮バネ１６０”は、円錐形のコイル状の圧縮バネである。圧縮バネ１６０”のコイルの半径は、練習用バット１００の先端１４０に近づくにつれて増加する。図３Ａ、図３Ｂに示される構成によれば、図１Ａ、図１Ｂに示される構成および図２Ａ、図２Ｂに示される構成に比較して、重り１３０をゆっくりと練習用バット１００の先端１４０に向かって移動させることが可能であり、重り１３０が練習用バット１００の先端１４０に近づくにつれて重り１３０の移動速度を徐々に減少させることが可能である。少なくともこの点で、図３Ａ、図３Ｂに示される構成は、図１Ａ、図１Ｂに示される構成および図２Ａ、図２Ｂに示される構成に比較して有利であるといえる。
【００４１】  なお、図１Ａ、図１Ｂ、図２Ａ、図２Ｂ、図３Ａ、図３Ｂに示される例では、グリップ部分１１０が中実であり、かつ、バット本体１２０の一部が中空であるように形成されているが、グリップ部分１１０およびバット本体１２０の内部構造はこれに限定されない。バット本体１２０の少なくとも一部の内部に空間が形成されており、その空間内で重り１３０が初期位置と先端位置との間で移動可能である限り、バット本体１２０は、任意の内部構造を有することが可能である。
【００４２】  さらに、図１Ａ、図１Ｂ、図２Ａ、図２Ｂ、図３Ａ、図３Ｂに示される例では、付勢力を発生させる付勢手段の一例として圧縮バネ１５０および圧縮バネ１６０を説明したが、本発明はこれに限定されない。圧縮バネ１５０および／または圧縮バネ１６０の代わりに、付勢力を発生させる任意の付勢手段を使用することが可能である。
【００４３】  さらに、図１Ａ、図１Ｂ、図２Ａ、図２Ｂ、図３Ａ、図３Ｂに示される練習用バット１００において、練習用バット１００の先端１４０が開閉可能なように構成されていてもよい。この場合、練習用バット１００の先端１４０が開いている間に、重り１３０を交換可能であるように練習用バット１００が構成されていてもよい。例えば、重り１３０として各種の重さ（例えば、５００ｇ、２５０ｇ、１００ｇ）の重りを用意しておき、これらを交換可能とすることによって、一本の練習用バット１００を重さの異なる複数本の練習用バットであるかのように使用することが可能になる。あるいは、練習用バット１００の先端１４０が開いている間に、圧縮バネ１５０および圧縮バネ１６０のうちの少なくとも一方を交換可能であるように練習用バット１００が構成されていてもよい。なお、練習用バット１００の先端１４０を開閉可能にする構成は問わない。例えば、練習用バット１００の先端１４０を着脱可能にして、その先端１４０に形成されたネジ山（またはネジ溝）とバット本体１２０に形成されたネジ溝（またはネジ山）とを係合するようにしてもよいし、その先端１４０に形成された凸部をバット本体１２０に形成された凹部に押し込むようにしてもよい。
【００４４】  さらに、練習用バット１００は、典型的には、金属バットである。金属バットは、元来、グリップ部分およびバット本体の両方が中空であるため、バット本体の内部に空間を形成する工程を必要としない。従って、金属バットは、本発明の練習用バットの製造に適しているといえる。ただし、本発明の練習用バットは、金属バットに限定されない。本発明の練習用バットは、バット本体の少なくとも一部の内部に空間が形成されている限り、任意の材料で形成されたバットであり得る。例えば、本発明の練習用バットは、バット本体の少なくとも一部の内部をくり抜くことによってその内部に空間が形成された木製バットであってもよい。
【００４５】２．本発明の練習用バットを使用したバッティング練習
図１Ａ、図１Ｂに示される内部構造を有する練習用バット１００は、外見上は、通常のバットと同一である。従って、通常のバットと同様に、練習用バット１００を使用して、トスバッティング、ティーバッティング、フリーバッティングなどのバッティング練習（すなわち、実際に球を打つバッティング練習）を行うことが可能である。図２Ａ、図２Ｂに示される内部構造を有する練習用バット１００についても同様である。図３Ａ、図３Ｂに示される内部構造を有する練習用バット１００についても同様である。
【００４６】  図４Ａ〜図４Ｃは、打者が練習用バット１００を構え、振り出し、スイングする様子を示す。
【００４７】  図４Ａは、打者が練習用バット１００を構えてトップの位置を作ったときの様子を示す。このとき、練習用バット１００の内部では、重り１３０は初期位置にある。図４Ａに示されるトップの位置からバットを振り出す直前に、打者は、一瞬、練習用バット１００を練習用バット１００の長手軸方向（図４Ａに示される矢印Ａの方向）に振る動作を行う。この動作によって、練習用バット１００の内部にある重り１３０が、初期位置から先端位置に向かって移動する。このとき、重り１３０には先端位置から初期位置に戻る方向に付勢力が作用するが、同時に、打者が練習用バット１００を振り出すことによって、重り１３０に遠心力が作用する。このようにして、重り１３０に作用する付勢力と重り１３０に作用する遠心力とがつり合って、重り１３０は先端位置付近に留まることになる。これにより、打者は、練習用バット１００を振り出してから球を打ってフォロースルーを終えるまでの間、練習用バット１００の先端１４０付近に重さを感じ続けながら、練習用バット１００をスイングすることが可能である。
【００４８】  図４Ｂは、打者が練習用バット１００を振り出した瞬間の様子を示し、図４Ｃは、打者が練習用バット１００で球を打ったインパクトの瞬間の様子を示す。
【００４９】  練習用バット１００を使用したバッティング練習によれば、打者は、「バットを振り出す直前に、バットの先端付近に重みを感じ、その重みを感じたままバットを振り切る感覚」を身に付けることが可能である。この感覚こそが重要なのである。この感覚を身に付けることによって、バットの振り出しおよびバットのスイングの軌道を改善することができるからである。
【００５０】  図１Ａ、図１Ｂ、図２Ａ、図２Ｂ、図３Ａ、図３Ｂに示される内部構造を有する練習用バット１００によれば、圧縮バネ１５０、１６０（または、圧縮バネ１５０、１６０’、または、圧縮バネ１５０、１６０”）の存在により、重り１３０が初期位置から先端位置に向かって移動する際に、打者が重り１３０の「浮遊感」を感じることが可能である。これにより、打者は、自然な感覚で重みの移動を感じることが可能であり、バットの先端付近に重みを感じつつスイングすることが可能である。さらに、引張バネではなく、圧縮バネを用いることにより、圧縮バネの両端を固定することなく自由端とすることが可能である。これにより、練習バット１００の製造プロセスを格段に簡略化することが可能である。
【００５１】  特に、図３Ａ、図３Ｂに示される内部構造を有する練習用バット１００によれば、円錐形のコイル状の圧縮バネ１６０”の存在により、図１Ａ、図１Ｂ、図２Ａ、図２Ｂに示される内部構造を有する練習用バット１００に比較して、重り１３０をゆっくりと練習用バット１００の先端１４０に向かって移動させることが可能であり、重り１３０が練習用バット１００の先端１４０に近づくにつれて重り１３０の移動速度を徐々に減少させることが可能である。これにより、図３Ａ、図３Ｂに示される内部構造を有する練習用バット１００によれば、打者は、練習用バット１００をトップの位置から振り出した後でさえも、依然として、バットの先端付近に重みを感じ続けることが可能である。従って、図３Ａ、図３Ｂに示される内部構造を有する練習用バット１００によれば、図１Ａ、図１Ｂ、図２Ａ、図２Ｂに示される内部構造を有する練習用バット１００に比較して、バットの先端付近に重みをより長く感じつつ、その重みを感じたままバットを振り切る感覚を身に付けることが可能である。このように、バットの振り出しからスイングの過程において、バットの先端付近に重みを感じる時間が長いことが重要である。この感覚を身に付けることによって、バットの振り出しおよびバットのスイングの軌道をさらに改善することができるからである。
【００５２】  発明者は、長年にわたり、オール枚方ボーイズ小学部の監督を務め、小学校１年生から小学校６年生までにバッティングを指導してきた。小学校高学年の子供と小学校低学年の子供とでは力の差が歴然としているため、小学校低学年の子供のバッティングをどのように指導するかは長年の懸案であった。本発明は、小学校低学年の子供のバッティングがどうしても球の勢いに押されがちになるのを見て、それを解消するためにどのようにバッティングを指導するべきかを考え続けてきた成果に基づくものである。
【００５３】  練習用バット１００を使用したバッティング練習を重ねることにより、非力な小学校低学年の子供であっても小学校高学年の子供の投げた球を打ち返すことができるようになる。これは、「バットを振り出す直前に、バットの先端付近に重みを感じ、その重みを感じたままバットを振り切る感覚」を身に付けることによって、力を無駄なく球に伝達するスイングが完成するからであると考えられている。もちろん、練習用バット１００を使用したバッティング練習は、小学生だけに有用であるわけではなく、中学生、高校生、大学生、社会人などのすべての野球人に有用である。力を無駄なく球に伝達するスイングは、力があるかないかにかかわらず、すべての野球人に有用であるからである。
【００５４】  このようにして完成されたスイングは、従来のお手本とされたインサイドアウトでインパクトまで最短距離でバットを出すのを良しとするスイングとは異なり、バットはむしろ遠回りして出てくるように見えるがバットの先端を走らせてインパクトに至るのを良しとするスイングであるといえる。このようなスイングは、従来の野球常識からかけ離れたものであり、「フライボール革命」に続く「スイング革命」であるというべきものである。練習用バット１００を使用したバッティング練習を重ねることにより、新しいスイング理論に基づく完成されたスイングを手に入れることができるのである。
【００５５】  以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【産業上の利用可能性】
【００５６】  本発明は、トスバッティング、ティーバッティング、フリーバッティングなどのバッティング練習（すなわち、実際に球を打つバッティング練習）で使用することができる練習用バット等を提供するものとして有用である。
【符号の説明】
【００５７】１００  練習用バット
１１０  グリップ部分
１２０  バット本体
１３０  重り
１４０  練習用バットの先端
１５０  圧縮バネ
１６０  圧縮バネ
１６０’圧縮バネ
１６０”圧縮バネ
１７０  芯棒
１８０  テーパ状部材（ガイド部）
【図１Ａ】
2020081824.tif 000003
【図１Ｂ】
2020081824.tif 000004
【図２Ａ】
2020081824.tif 000005
【図２Ｂ】
2020081824.tif 000006
【図３Ａ】
2020081824.tif 000007
【図３Ｂ】
2020081824.tif 000008
【図４Ａ】
2020081824.tif 000009
【図４Ｂ】
2020081824.tif 000010
【図４Ｃ】
2020081824.tif 000011
【手続補正書】
【提出日】平成31年4月1日(2019.4.1)
【手続補正１】
【補正対象書類名】特許請求の範囲
【補正対象項目名】全文
【補正方法】変更
【補正の内容】
【特許請求の範囲】
【請求項１】
練習用バットであって、前記練習用バットは、
グリップ部分と、
バット本体であって、前記バット本体の少なくとも一部の内部には空間が形成されている、バット本体と、
前記空間内に配置された芯棒と、
前記空間内で移動可能である重りと、
前記重りに付勢力を作用させるための付勢手段であって、コイル状の第１の圧縮バネとコイル状の第２の圧縮バネとを含む付勢手段と
を備え、
前記重りには、前記重りの中を前記芯棒が通過することができるように貫通孔が設けられており、
前記芯棒は、前記第１の圧縮バネが前記重りよりも前記グリップ部分に近い位置に配置され、かつ、前記第２の圧縮バネが前記重りよりも前記練習用バットの先端に近い位置に配置されるように、前記第１の圧縮バネのコイルの中および前記重りの貫通孔の中および前記第２の圧縮バネのコイルの中を通るように構成されており、
前記重りは、初期位置と先端位置との間で移動可能であり、前記先端位置は、前記練習用バットの長手軸方向に沿って前記初期位置よりも前記練習用バットの先端に近い位置であり、
前記付勢手段は、前記重りが前記先端位置にある場合には、前記光端位置から前記初期位置に戻る方向の付勢力が前記重りに作用するように構成されており、
前記第１の圧縮バネの両端は、自由端であり、かつ、前記第２の圧縮バネの両端は、自由端である、練習用バット。
【請求項２】
前記重りが前記初期位置にある場合には、前記第１の圧縮バネが圧縮されている状態にあり、かつ、前記第２の圧縮バネが圧縮されている状態またはニュートラルな状態にある、請求項１に記載の練習用バット。
【請求項３】
前記第２の圧縮バネの単位長さあたりの巻数は、前記第１の圧縮バネの単位長さあたりの巻数に等しい、請求項１または請求項２に記載の練習用バット。
【請求項４】
前記第２の圧縮バネの単位長さあたりの巻数は、前記第１の圧縮バネの単位長さあたりの巻数よりも少ない、請求項１または請求項２に記載の練習用バット。
【請求項５】
前記第２の圧縮バネは、円錐形のコイル状の圧縮バネであり、前記第２の圧縮バネは、前記練習用バットの先端の近づくにつれて前記第２の圧縮バネのコイルの半径が単調増加するように構成されている、請求項１〜４のいずれか一項に記載の練習用バット。
【請求項６】
練習用バットであって、前記練習用バットは、
グリップ部分と、
バット本体であって、前記バット本体の少なくとも一部の内部には空間が形成されている、バット本体と、
前記空間内に配置された芯棒と、
前記空間内で移動可能である重りと、
前記重りに付勢力を作用させるための付勢手段であって、コイル状の第１の圧縮バネとコイル状の第２の圧縮バネとを含む付勢手段と
を備え、
前記重りには、前記重りの中を前記芯棒が通過することができるように貫通孔が設けられており、
前記芯棒は、前記第１の圧縮バネが前記重りよりも前記グリップ部分に近い位置に配置され、かつ、前記第２の圧縮バネが前記重りよりも前記練習用バットの先端に近い位置に配置されるように、前記第１の圧縮バネのコイルの中および前記重りの貫通孔の中および前記第２の圧縮バネのコイルの中を通るように構成されており、
前記重りは、初期位置と先端位置との間で移動可能であり、前記先端位置は、前記練習用バットの長手軸方向に沿って前記初期位置よりも前記練習用バットの先端に近い位置であり、
前記付勢手段は、前記重りが前記先端位置にある場合には、前記先端位置から前記初期位置に戻る方向の付勢力が前記重りに作用するように構成されており、
前記第２の圧縮バネの単位長さあたりの巻数は、前記第１の圧縮バネの単位長さあたりの巻数よりも少ない、練習用バット。
【請求項７】
練習用バットであって、前記練習用バットは、
グリップ部分と、
バット本体であって、前記バット本体の少なくとも一部の内部には空間が形成されている、バット本体と、
前記空間内に配置された芯棒と、
前記空間内で移動可能である重りと、
前記重りに付勢力を作用させるための付勢手段であって、コイル状の第１の圧縮バネとコイル状の第２の圧縮バネとを含む付勢手段と
を備え、
前記重りには、前記重りの中を前記芯棒が通過することができるように貫通孔が設けられており、
前記芯棒は、前記第１の圧縮バネが前記重りよりも前記グリップ部分に近い位置に配置され、かつ、前記第２の圧縮バネが前記重りよりも前記練習用バットの先端に近い位置に配置されるように、前記第１の圧縮バネのコイルの中および前記重りの貫通孔の中および前記第２の圧縮バネのコイルの中を通るように構成されており、
前記重りは、初期位置と先端位置との間で移動可能であり、前記先端位置は、前記練習用バットの長手軸方向に沿って前記初期位置よりも前記練習用バットの先端に近い位置であり、
前記付勢手段は、前記重りが前記先端位置にある場合には、前記先端位置から前記初期位置に戻る方向の付勢力が前記重りに作用するように構成されており、
前記第２の圧縮バネは、円錐形のコイル状の圧縮バネであり、前記第２の圧縮バネは、前記練習用バットの先端の近づくにつれて前記第２の圧縮バネのコイルの半径が単調増加するように構成されている、練習用バット。
【請求項８】
前記練習用バットは、前記芯棒の長手軸方向が前記練習用バットの長手軸方向に一致するように前記芯棒をガイドするためのガイド部をさらに備える、請求項１〜７のいずれか一項に記載の練習用バット。
【請求項９】
前記練習用バットの先端は、開閉可能なように構成されており、前記練習用バットは、前記練習用バットの先端が開いている間に、前記第１の圧縮バネ、前記重り、前記第２の圧縮バネのうちの少なくとも１つを交換可能であるように構成されている、請求項１〜８のいずれか一項に記載の練習用バット。
【請求項１０】
前記練習用バットは、金属バットである、請求項１〜９のいずれか一項に記載の練習用バット。
【手続補正書】
【提出日】令和1年6月11日(2019.6.11)
【手続補正１】
【補正対象書類名】特許請求の範囲
【補正対象項目名】全文
【補正方法】変更
【補正の内容】
【特許請求の範囲】
【請求項１】
練習用バットであって、前記練習用バットは、
グリップ部分と、
バット本体であって、前記バット本体の少なくとも一部の内部には空間が形成されている、バット本体と、
前記空間内に配置された芯棒と、
前記空間内で移動可能である重りと、
前記重りに付勢力を作用させるための付勢手段であって、コイル状の第１の圧縮バネとコイル状の第２の圧縮バネとを含む付勢手段と
を備え、
前記重りには、前記重りの中を前記芯棒が通過することができるように貫通孔が設けられており、
前記芯棒は、前記第１の圧縮バネが前記重りよりも前記グリップ部分に近い位置に配置され、かつ、前記第２の圧縮バネが前記重りよりも前記練習用バットの先端に近い位置に配置されるように、前記第１の圧縮バネのコイルの中および前記重りの貫通孔の中および前記第２の圧縮バネのコイルの中を通るように構成されており、
前記重りは、初期位置と先端位置との間で移動可能であり、前記先端位置は、前記練習用バットの長手軸方向に沿って前記初期位置よりも前記練習用バットの先端に近い位置であり、
前記付勢手段は、前記重りが前記先端位置にある場合には、前記先端位置から前記初期位置に戻る方向の付勢力が前記重りに作用するように構成されており、
前記第１の圧縮バネの両端は、自由端であり、かつ、前記第２の圧縮バネの両端は、自由端である、練習用バット。
【請求項２】
前記重りが前記初期位置にある場合には、前記第１の圧縮バネが圧縮されている状態にあり、かつ、前記第２の圧縮バネが圧縮されている状態またはニュートラルな状態にある、請求項１に記載の練習用バット。
【請求項３】
前記第２の圧縮バネの単位長さあたりの巻数は、前記第１の圧縮バネの単位長さあたりの巻数に等しい、請求項１または請求項２に記載の練習用バット。
【請求項４】
前記第２の圧縮バネの単位長さあたりの巻数は、前記第１の圧縮バネの単位長さあたりの巻数よりも少ない、請求項１または請求項２に記載の練習用バット。
【請求項５】
前記第２の圧縮バネは、円錐形のコイル状の圧縮バネであり、前記第２の圧縮バネは、前記練習用バットの先端に近づくにつれて前記第２の圧縮バネのコイルの半径が単調増加するように構成されている、請求項１〜４のいずれか一項に記載の練習用バット。
【請求項６】
練習用バットであって、前記練習用バットは、
グリップ部分と、
バット本体であって、前記バット本体の少なくとも一部の内部には空間が形成されている、バット本体と、
前記空間内に配置された芯棒と、
前記空間内で移動可能である重りと、
前記重りに付勢力を作用させるための付勢手段であって、コイル状の第１の圧縮バネとコイル状の第２の圧縮バネとを含む付勢手段と
を備え、
前記重りには、前記重りの中を前記芯棒が通過することができるように貫通孔が設けられており、
前記芯棒は、前記第１の圧縮バネが前記重りよりも前記グリップ部分に近い位置に配置され、かつ、前記第２の圧縮バネが前記重りよりも前記練習用バットの先端に近い位置に配置されるように、前記第１の圧縮バネのコイルの中および前記重りの貫通孔の中および前記第２の圧縮バネのコイルの中を通るように構成されており、
前記重りは、初期位置と先端位置との間で移動可能であり、前記先端位置は、前記練習用バットの長手軸方向に沿って前記初期位置よりも前記練習用バットの先端に近い位置であり、
前記付勢手段は、前記重りが前記先端位置にある場合には、前記先端位置から前記初期位置に戻る方向の付勢力が前記重りに作用するように構成されており、
前記第２の圧縮バネの単位長さあたりの巻数は、前記第１の圧縮バネの単位長さあたりの巻数よりも少ない、練習用バット。
【請求項７】
練習用バットであって、前記練習用バットは、
グリップ部分と、
バット本体であって、前記バット本体の少なくとも一部の内部には空間が形成されている、バット本体と、
前記空間内に配置された芯棒と、
前記空間内で移動可能である重りと、
前記重りに付勢力を作用させるための付勢手段であって、コイル状の第１の圧縮バネとコイル状の第２の圧縮バネとを含む付勢手段と
を備え、
前記重りには、前記重りの中を前記芯棒が通過することができるように貫通孔が設けられており、
前記芯棒は、前記第１の圧縮バネが前記重りよりも前記グリップ部分に近い位置に配置され、かつ、前記第２の圧縮バネが前記重りよりも前記練習用バットの先端に近い位置に配置されるように、前記第１の圧縮バネのコイルの中および前記重りの貫通孔の中および前記第２の圧縮バネのコイルの中を通るように構成されており、
前記重りは、初期位置と先端位置との間で移動可能であり、前記先端位置は、前記練習用バットの長手軸方向に沿って前記初期位置よりも前記練習用バットの先端に近い位置であり、
前記付勢手段は、前記重りが前記先端位置にある場合には、前記先端位置から前記初期位置に戻る方向の付勢力が前記重りに作用するように構成されており、
前記第２の圧縮バネは、円錐形のコイル状の圧縮バネであり、前記第２の圧縮バネは、前記練習用バットの先端に近づくにつれて前記第２の圧縮バネのコイルの半径が単調増加するように構成されている、練習用バット。
【請求項８】
前記練習用バットは、前記芯棒の長手軸方向が前記練習用バットの長手軸方向に一致するように前記芯棒をガイドするためのガイド部をさらに備える、請求項１〜７のいずれか一項に記載の練習用バット。
【請求項９】
前記練習用バットの先端は、開閉可能なように構成されており、前記練習用バットは、前記練習用バットの先端が開いている間に、前記第１の圧縮バネ、前記重り、前記第２の圧縮バネのうちの少なくとも１つを交換可能であるように構成されている、請求項１〜８のいずれか一項に記載の練習用バット。
【請求項１０】
前記練習用バットは、金属バットである、請求項１〜９のいずれか一項に記載の練習用バット。